(57)【要約】【課題】外部ユニットの装着により放熱効率を可変とする。【解決手段】カメラボディ２の中空円筒部３に、撮影光学系１１の光軸１０の周りを囲むように、第１開口部３２ａ、第２開口部３２ｂ及び第３開口部３２ｃを有する空間部Ｓが形成される。第３開口部３２ｃに着脱部材３５が装着された状態と第３開口部３２ｃに外部ユニット４が装着された状態とでは、第２開口部３２ｂと第３開口部３２ｃとの間における流路方向が切り替わる。【選択図】図５
2019117966.tif 000002
【特許請求の範囲】
【請求項１】
第１開口部、第２開口部、及び前記第１開口部と前記第２開口部との間に位置する第３開口部、を有する空間部を、撮影光学系の光軸の周りを囲むように形成する空間形成部と、
前記空間部に配設された第１のファンと、
前記空間部に配設され、熱源から伝達される熱を放熱する熱交換部と、を有し、
前記第３開口部には、前記第３開口部を塞ぐ着脱部材、または、第４開口部及び第２のファンを有する外部ユニットのいずれかを選択的に着脱可能であり、
前記第３開口部に前記着脱部材が装着された状態と前記第３開口部に前記外部ユニットが装着された状態とでは、前記第２開口部と前記第３開口部との間における空気の流れる方向が切り替わることを特徴とする撮像装置。
【請求項２】
前記第３開口部に前記着脱部材が装着された状態では、前記第１開口部を吸気口とし前記第２開口部を排気口とする流路が形成され、前記第３開口部に前記外部ユニットが装着された状態では、前記第１開口部及び前記第２開口部を吸気口とし、前記第３開口部を通じて前記第４開口部を排気口とする流路が形成されることを特徴とする請求項１に記載の撮像装置。
【請求項３】
前記光軸方向において前記撮影光学系と撮像素子との間に位置する中空円筒部を有し、
前記空間部は前記中空円筒部に形成されることを特徴とする請求項１または２に記載の撮像装置。
【請求項４】
前記第１のファンよりも前記第２のファンの方が、送風能力が高いことを特徴とする請求項１〜３のいずれか１項に記載の撮像装置。
【請求項５】
前記第１のファンは、前記第１開口部から前記空間部内へ外気を流入させ、
前記第２のファンは、前記外部ユニット内の空気を前記第４開口部から外へ排出することを特徴とする請求項１〜４のいずれか１項に記載の撮像装置。
【請求項６】
前記第１のファンは、前記第１のファンの回転軸のスラスト方向から吸気しラジアル方向に排気する遠心型ファンであることを特徴とする請求項１〜５のいずれか１項に記載の撮像装置。
【請求項７】
前記第１開口部及び前記第２開口部は、当該撮像装置の上部に配置されることを特徴とする請求項１〜６のいずれか１項に記載の撮像装置。
【請求項８】
前記第１開口部から前記第３開口部までの流路の流路抵抗は、前記第２開口部から前記第３開口部までの流路の流路抵抗よりも大きいことを特徴とする請求項１〜７のいずれか１項に記載の撮像装置。
【請求項９】
前記着脱部材は蓄熱材を備えることを特徴とする請求項１〜８のいずれか１項に記載の撮像装置。
【請求項１０】
前記外部ユニットは、縦位置グリップであることを特徴とする請求項１〜９のいずれか１項に記載の撮像装置。
【請求項１１】
前記縦位置グリップはグリップ部を有し、前記第４開口部は、前記グリップ部を避けた位置に配置されることを特徴とする請求項１０に記載の撮像装置。
【請求項１２】
当該撮像装置の消費電力に応じて、前記第１のファン及び前記第２のファンの駆動を制御する制御手段をさらに有することを特徴とする請求項１〜１１のいずれか１項に記載の撮像装置。
【請求項１３】
前記制御手段は、前記消費電力が所定値より高い場合は、前記第１のファン及び前記第２のファンの双方を稼働することを特徴とする請求項１２に記載の撮像装置。
【請求項１４】
前記制御手段は、前記消費電力が前記所定値より高くない場合は、前記第１のファンを停止させると共に前記第２のファンを稼働することを特徴とする請求項１３に記載の撮像装置。
【請求項１５】
請求項１〜１４のいずれか１項に記載の撮像装置と、前記第３開口部に着脱可能な前記外部ユニットとを有することを特徴とする撮像システム。
【発明の詳細な説明】
【技術分野】
【０００１】
本発明は空冷ファンを搭載した撮像装置、撮像システムに関する。
【背景技術】
【０００２】
近年、撮像装置の発熱を抑えるために空冷ファンなどの冷却構造を備えた撮像装置が提案されている。特許文献１では、カメラボディ内にファンを内蔵し、ボディ内の空気をファンで循環させて冷却を行う装置が提案されている。この構造によれば、カバーガラスの結露防止や発熱源の放熱を行うことができる。
【先行技術文献】
【特許文献】
【０００３】
【特許文献１】特開２００６−１０９８３号公報
【発明の概要】
【発明が解決しようとする課題】
【０００４】
しかしながら、近年、撮像装置の高機能化により、撮影される映像の高精細化、高フレームレート化が進展し、それに伴い消費電力が増大し、発生する熱量も増加している。消費電力の高い高精細・高フレームレートの映像を処理する際、従来の構造では十分に放熱できない場合がある。ところで、縦位置ユニットのような外部ユニットを着脱可能な撮像装置も知られている。外部ユニットを着脱可能な撮像装置や、複数の撮影モードを備える撮像装置においては、使用状況によって発熱量が異なる場合がある。
【０００５】
本発明は、外部ユニットの装着により放熱効率を可変とすることを目的とする。
【課題を解決するための手段】
【０００６】
上記目的を達成するために本発明は、第１開口部、第２開口部、及び前記第１開口部と前記第２開口部との間に位置する第３開口部、を有する空間部を、撮影光学系の光軸の周りを囲むように形成する空間形成部と、前記空間部に配設された第１のファンと、前記空間部に配設され、熱源から伝達される熱を放熱する熱交換部と、を有し、前記第３開口部には、前記第３開口部を塞ぐ着脱部材、または、第４開口部及び第２のファンを有する外部ユニットのいずれかを選択的に着脱可能であり、前記第３開口部に前記着脱部材が装着された状態と前記第３開口部に前記外部ユニットが装着された状態とでは、前記第２開口部と前記第３開口部との間における空気の流れる方向が切り替わることを特徴とする。
【発明の効果】
【０００７】
本発明によれば、外部ユニットの装着により放熱効率を可変とすることができる。
【図面の簡単な説明】
【０００８】
【図１】撮像システムの外観斜視図、側面図、縦断面図である。
【図２】外部ユニットが装着された撮像システム、外部ユニットの装着途中の撮像システムの外観斜視図、側面図である。
【図３】撮像システムのブロック図である。
【図４】図１（ｂ）のＡ−Ａ線に沿う断面図である。
【図５】図２（ｂ）のＢ−Ｂ線に沿う断面図である。
【図６】変形例の着脱部材を装着した中空円筒部の断面図である。
【発明を実施するための形態】
【０００９】
以下、図面を参照して本発明の実施の形態を説明する。
【００１０】
図１（ａ）、（ｂ）は、本発明の一実施の形態に係る撮像装置を含む撮像システムの外観斜視図、側面図である。この撮像装置は、一例としてデジタルカメラとして構成される。カメラボディ２に、交換可能なレンズ１が装着されて、撮像システムが構成される。図１（ｃ）、（ｄ）は、後述する外殻部３２の図示を省略した撮像システムの外観斜視図、縦断面図である。
【００１１】
図２（ａ）、（ｂ）は、外部ユニットが装着された撮像システムの外観斜視図、側面図である。図２（ｃ）、（ｄ）は、外部ユニットの装着途中の撮像システムの外観斜視図、側面図である。カメラボディ２には、着脱部材３５と外部ユニット４とが選択的に着脱可能である。図１（ｂ）ではカメラボディ２に着脱部材３５が装着され、図２（ａ）、（ｂ）ではカメラボディ２に外部ユニット４が装着された状態が示されている。本発明の撮像装置には、カメラボディ２が相当するが、カメラボディ２に着脱部材３５が装着されたものが相当するとしてもよい。なお、レンズ１は交換可能であるとしたが、レンズ一体型のカメラを本発明の撮像装置としてもよい。外部ユニット４は、いわゆる縦位置グリップとして構成されるが、カメラボディ２内の放熱を行う冷却ユニットでもある。まず、図３を用いて、カメラボディ２にレンズ１と外部ユニット４とが取り付いて一体化した状態での電気的構成について述べる。
【００１２】
図３は、撮像システムのブロック図である。レンズ１及びカメラボディ２からなるシステムは、以下に説明する撮像部、画像処理部、記録再生部、制御部を有する。撮像部は、光軸１０を有する撮影光学系１１、撮像素子２２を含む。撮像部は、物体からの光を撮影光学系１１を介して撮像素子２２の撮像面に結像する光学処理系である。記録再生部は、メモリ部２４、画像表示部２５（図１（ｄ）も参照）を含み、制御部は、カメラ制御部２１、操作部２６（図１（ａ）等も参照）、レンズ制御部１２、レンズ駆動部１３を含む。レンズ駆動部１３は、焦点レンズ、ブレ補正レンズ、絞りなどを駆動することができる。
【００１３】
操作部２６は、不図示のレリーズボタンを含み、ユーザからの操作部２６の操作に応じて撮像動作が制御される。撮像素子２２は撮影光学系１１から得られた像を取得する。カメラ制御部２１、レンズ制御部１２及びレンズ駆動部１３は、撮影光学系１１の状態を変化させることにより画像表示部２５に提示される出力画像の状態を調整し、ユーザにピント状態などの情報を提供する。画像処理部２３は、内部にＡ／Ｄ変換器、ホワイトバランス調整回路、ガンマ補正回路、補間演算回路等を有しており、記録用の画像を生成することができる。画像処理部２３には色補間処理部が備えられており、色補間処理部はベイヤ配列の信号から色補間（デモザイキング）処理を施してカラー画像を生成する。また、画像処理部２３は、予め定められた方法を用いて画像、動画、音声などを圧縮する。
【００１４】
カメラ制御部２１は、メモリ部２４に対する記憶や読み出しを制御するとともに、ユーザに提示する像を画像表示部２５に表示する。カメラ制御部２１は撮像の際のタイミング信号などを生成して出力する。カメラ制御部２１は外部操作に応動して撮像部、画像処理部２３、記録再生部をそれぞれ制御する。例えば、操作部２６に含まれるレリーズボタンより撮影命令が検出されると、カメラ制御部２１は、撮像素子２２の駆動、画像処理部２３の動作、圧縮処理などを制御する。
【００１５】
カメラ制御部２１は、撮像素子２２からの信号を元に適切な焦点位置、絞り位置を求める。カメラ制御部２１は、レンズ電気接点２７を介してレンズ制御部１２に指令を出し、レンズ制御部１２はレンズ駆動部１３を適切に制御する。カメラボディ２は、マイク２９（図１（ａ）等も参照）及び内蔵ファン３１を有する。カメラボディ２には、光軸１０の軸線方向（光軸方向）における撮像素子２２とレンズ１との間に、光軸１０及び中空領域を取り囲む中空円筒部３が配置されている。中空円筒部３内には、第１のファンである内蔵ファン３１が配設される。中空円筒部３の詳細は図４等で後述する。
【００１６】
外部ユニット４は、外部制御部４４と外部ファン４１とを有している。外部制御部４４はユニット電気接点２８を介してカメラ制御部２１からの指令を受けて、外部ファン４１の駆動を制御する。
【００１７】
図４は、図１（ｂ）のＡ−Ａ線に沿う断面図である。レンズ１は、カメラボディ２が有する中空円筒部３の先端に接続される。以下、カメラボディ２において、操作部２６やマイク２９が上方となる姿勢を基準として、上方及び下方を呼称し、光軸１０と上下方向とに直交する方向を左右方向と呼称する。
【００１８】
主に図１（ｃ）、（ｄ）、図４を用いて、中空円筒部３の詳細な構成について述べる。中空円筒部３は、いずれも光軸１０の周りを囲む形状の内殻部３３及び外殻部３２を有する。中空円筒部３は外装である外殻部３２で覆われており、外殻部３２には複数のスリット状の第１開口部３２ａと第２開口部３２ｂとが隣接して形成されている。また、中空円筒部３の下部には第３開口部３２ｃが形成されている。
【００１９】
内蔵ファン３１は、中空円筒部３内の上部において第１開口部３２ａに近接対向して配されている。また、中空円筒部３の左右の側部には、フィン形状の熱交換部３４ａ、３４ｂが設けられている。外殻部３２及び内殻部３３で囲まれた略環状の空間部Ｓは、空気の対流が可能な円筒部流路である。第３開口部３２ｃは、空間部Ｓにおける、第１開口部３２ａと第２開口部３２ｂとの間（途中）に位置する。主に外殻部３２及び内殻部３３が、空間部Ｓを形成する空間形成部となる。内殻部３３には、第１開口部３２ａと第２開口部３２ｂとの間にリブ３３ａが延設される（図４）。リブ３３ａにより空間部Ｓが仕切られることで、第１開口部３２ａから第２開口部３２ｂまでの円筒部流路が規定されている。熱交換部３４ａ、３４ｂも円筒部流路の一部を構成する。
【００２０】
着脱部材３５は、中空円筒部３の第３開口部３２ｃに対してスライドされることで着脱可能である。ユーザは、着脱部材３５を下方向にスライドすることで中空円筒部３より取り外すことが可能である。また、ユーザは、着脱部材３５を上方向にスライドすることで中空円筒部３に装着可能である。着脱部材３５が取り外されることで第３開口部３２ｃが開口状態となる。着脱部材３５が取り付いている場合は、着脱部材３５も円筒部流路の一部を構成する。
【００２１】
また、図１（ｄ）に示すように、カメラボディ２内には、ＣＰＵチップ２１ａ等が実装された実装基板６２が配されている。このＣＰＵチップ２１ａはカメラ制御部２１に含まれ、ＣＰＵチップ２１ａが主な発熱源の１つとなる。なお、実装基板６２には不図示のメモリＩＣなども実装されており、これらも撮影時に発熱する熱源となる。さらに、実装基板６２はアルミニウムなどの熱伝導率の高い材質で構成された熱伝導部であるシャーシ６１に取り付けられており、シャーシ６１の一端は内殻部３３と熱的に接続されている。ＣＰＵチップ２１ａ等から発せられた熱は実装基板６２、シャーシ６１を介して内殻部３３に伝えられる。なお、内殻部３３にＣＰＵチップ２１ａの熱量を伝える構成として、例えばＣＰＵチップ２１ａに、グラファイトシートなどの熱伝導率が高く可撓性のある材質の一端を貼り付け、他端を内殻部３３に貼り付ける等が考えられる。
【００２２】
次に、図４を用いて、カメラボディ２に着脱部材３５が装着された状態における中空円筒部３での冷却態様について説明する。内蔵ファン３１は、回転軸３１ａを中心に回転する。内蔵ファン３１は、回転軸３１ａに対しスラスト方向（軸線方向）に吸気し、ラジアル方向（径方向）に排気するいわゆる遠心型ファンであり、装置の薄型化に寄与している。内蔵ファン３１は、第１開口部３２ａから矢印５１ａ方向へ空気を導入し、矢印５１ｂ方向へ空気を送る。その際、第１開口部３２ａは空間部Ｓの内側（空間部内）へ吸気する吸気口となる。内蔵ファン３１から送出された空気は、空間部Ｓにおける内殻部３３と外殻部３２との間の流路を矢印５２方向に流れていく。熱交換部３４ａ、３４ｂには、上述したようにＣＰＵチップ２１ａなどからの熱がシャーシ６１を介して伝達されている。ここでは、熱交換部３４ａに伝えられた熱が矢印５２方向の対流により空冷される。そして、熱交換部３４ａを通過した空気は、空間部Ｓにおける第３開口部３２ｃ付近、すなわち内殻部３３と着脱部材３５との間の流路を矢印５３方向に通過する。
【００２３】
そして、第３開口部３２ｃ付近を経た空気は、空間部Ｓにおける内殻部３３と外殻部３２との間の流路を矢印５４ａ方向に流れる。熱交換部３４ｂに伝えられた熱は矢印５４ａ方向の対流により空冷される。そして、矢印５４ａ方向に通過した空気は、矢印５５ａで示すように、第２開口部３２ｂから中空円筒部３の外部に排気される。その際、第２開口部３２ｂは、空間部Ｓ外へ排気する排出口となる。
【００２４】
このように、外部ユニット４ではなく着脱部材３５が取り付けられている場合、内蔵ファン３１による対流により第１開口部３２ａから吸入された空気が、矢印５１ｂ、５２、５３、５４ａの順で通過し、第２開口部３２ｂから排出される。つまり、着脱部材３５が装着された状態では、空間部Ｓにおいて、第１開口部３２ａを吸気口とし第２開口部３２ｂを排気口とする略環状の流路が形成される。その結果、発熱源で発せられた熱量は、シャーシ６１、内殻部３３を介して、熱交換部３４ａ、３４ｂに伝えられ、空間部Ｓ内の対流により空冷される。
【００２５】
これに対し、第３開口部３２ｃに着脱部材３５ではなく外部ユニット４が装着された状態では、空間部Ｓの一部における、空気の流れる方向、すなわち流路方向が切り替わる。具体的には、空間部Ｓにおける特に第２開口部３２ｂから第３開口部３２ｃまでの流路における空気の流れ方向が切り替わる。図５を用いて、外部ユニット４の構成を説明すると共に、カメラボディ２に外部ユニット４が装着された状態における中空円筒部３及び外部ユニット４での冷却態様について説明する。
【００２６】
図５は、図２（ｂ）のＢ−Ｂ線に沿う断面図である。まず、外部ユニット４の構成と、カメラボディ２に対する外部ユニット４の装着部の構成を説明する。外部ユニット４は、その内部に第２のファンである外部ファン４１を有する。外部ユニット４の外装４２には、吸気口４２ａと、スリット状の排気口である第４開口部４２ｂが形成されている。カメラボディ２の第３開口部３２ｃに外部ユニット４の吸気口４２ａが嵌め込まれることで外部ユニット４が装着される。第３開口部３２ｃからの吸気口４２ａの係合を解くことで外部ユニット４が取り外される。ユーザは、カメラボディ２の下方から、外部ユニット４を矢印方向（図２（ｃ）、（ｄ））に装着すると、図２（ａ）、（ｂ）に示す状態となる。
【００２７】
ユニット電気接点２８（図１（ｄ）、図３）は、吸気口４２ａが嵌め込まれる位置において、カメラボディ２及び外部ユニット４に設けられる。カメラ制御部２１は、ユニット電気接点２８を通じて、外部ユニット４の取り付け状態を検出すると共に、外部ファン４１の駆動を指示する。図５に示すように、外部ファン４１は、外部ユニット４内の空洞部に配されている。外部ファン４１も内蔵ファン３１と同様に、回転軸４１ａに対してスラスト方向から吸気を行いラジアル方向に排気を行う遠心型ファンである。外部ファン４１は、回転することで矢印５７の方向から吸気し、矢印５８方向に排気することができる。外部ファン４１は内蔵ファン３１よりも大きく、運べる空気の量（流量）が大きい（送風能力が高い）。
【００２８】
また、外部ユニット４内には外部ファン４１の駆動及びカメラボディ２への電力供給のための電力を供給する外部電池４３が配置される。外部ユニット４内にはまた、カメラ制御部２１との通信及び外部ファン４１の駆動を制御する外部制御部４４が配されている。外部ユニット４の下部には三脚座４５が設けられており、外部ユニット４を取り付けたときでも三脚座４５を利用して外部ユニット４を三脚に取り付けることができる。外部ユニット４の第４開口部４２ｂに対する左右方向における反対位置には、把持部となるグリップ部４２ｃが配置される。ユーザはグリップ部４２ｃを把持することで縦位置撮影を行いやすくなる。
【００２９】
次に、カメラボディ２に外部ユニット４が装着された状態における中空円筒部３及び外部ユニット４での冷却態様について説明する。中空円筒部３の第３開口部３２ｃに吸気口４２ａが接続されることにより、中空円筒部３の空間部Ｓと外部ユニット４の空洞部との間で空気の移動が可能となる。外部ユニット４が装着された状態で、内蔵ファン３１と外部ファン４１が共に稼働する場合を説明する。
【００３０】
まず、カメラボディ２に着脱部材３５が装着された場合（図４）と同様に、内蔵ファン３１により第１開口部３２ａから矢印５１ａ方向へ空気が導入される。その空気は、空間部Ｓにおける内殻部３３と外殻部３２との間の流路を矢印５２方向に流れ、熱交換部３４ａにより空冷される。第１開口部３２ａは吸気口となる。そして、熱交換部３４ａを通過した空気は、外部ファン４１の駆動による吸引力によって矢印５６ａ方向に流れ、第３開口部３２ｃを通過して矢印５７方向へ流れて外部ユニット４内に流入する。
【００３１】
一方、外部ファン４１の吸引力により、第２開口部３２ｂから矢印５５ｂ方向へ空気が導入される。このときの空気の流れの向きは、着脱部材３５が装着された場合（図４）とは逆である。従って、第２開口部３２ｂは吸気口として機能する。そして、第２開口部３２ｂから空間部Ｓへ流入した空気は、矢印５４ｂ方向に流れ、熱交換部３４ｂを通過する際に空冷される。そして、熱交換部３４ｂを通過した空気は、矢印５６ｂ方向に流れて、熱交換部３４ａを通過した空気と合流して、外部ファン４１の駆動による吸引力によって矢印５７方向に流れ、第３開口部３２ｃを通過して外部ユニット４内に流入する。外部ユニット４内に流入した空気は、外部ファン４１によって矢印５８方向に流れて第４開口部４２ｂから排出される。
【００３２】
このように、外部ユニット４が装着された状態では、中空円筒部３から外部ユニット４に亘って流路が形成される。つまり、空間部Ｓにおいて、第１開口部３２ａ及び第２開口部３２ｂを吸気口とし、第３開口部３２ｃを通じて第４開口部４２ｂを排気口とする流路が形成される。発熱源で発せられた熱量は、シャーシ６１、内殻部３３を介して、熱交換部３４ａ、３４ｂに伝えられ、空間部Ｓ内の対流により空冷される。
【００３３】
しかも、外部ファン４１の稼働により、内蔵ファン３１のみの稼働時よりも多くの空気を対流させることができ、空冷による放熱量を増大させることができる。ここで、第１開口部３２ａと第２開口部３２ｂとの間の流路（熱交換部３４ａに対応する流路）の流路抵抗をＲａとし、第２開口部３２ｂと第３開口部３２ｃとの間の流路（熱交換部３４ｂに対応する流路）の流路抵抗をＲｂとする。着脱部材３５の装着時の空間部Ｓは、上記２つの流路が直列になったものと把握できるので、その流路抵抗Ｒ１は、Ｒ１＝Ｒａ＋Ｒｂとなる。一方、外部ユニット４の装着時の空間部Ｓは、上記２つの流路が並列になったものと把握できるので、その流路抵抗Ｒ２は、式（１）により導出される。
【００３４】
Ｒ２＝（Ｒａ×Ｒｂ）／（Ｒａ＋Ｒｂ）…（１）
なお、外部ユニット４における吸気口４２ａから第４開口部４２ｂまでの流路の流路抵抗は、流路抵抗Ｒａ、Ｒｂのいずれよりも小さい。流路抵抗Ｒ２は流路抵抗Ｒ１よりも小さいので、着脱部材３５の装着時よりも外部ユニット４の装着時の方が、空気が流れやすくなり熱交換の効率が上がる。さらに、第１開口部３２ａ、第２開口部３２ｂが共に、外気を取り込む吸気口となるため、熱交換部３４ａ、３４ｂを通過する空気の温度を外気の温度と同程度にすることができる。一方、着脱部材３５の装着時は、熱交換部３４ａで熱交換されて暖められた空気が熱交換部３４ｂを通過するため、外気温度の空気が通過する場合と比較すると熱交換効率が下がる。この点でも、着脱部材３５の装着時よりも外部ユニット４の装着時の方が、熱交換効率を向上させることができる。
【００３５】
このように、外部ユニット４を取り付け、外部ファン４１を用いて冷却を行うことで、高精細、高フレームレートな消費電力の多い動画撮影においても十分な放熱を行うことができる。一方、消費電力がそれほど大きくない撮影を行う際は、外部ユニット４をつけずに撮影を行うことで、小型軽量な状態で撮影を行うことができる。
【００３６】
ところで、第１開口部３２ａ、第２開口部３２ｂは、中空円筒部３の上部に配置され、上面側を向いている。これにより、ユーザがカメラボディ２を把持した場合でも、ユーザの手や顔に向けて排気が送られることがなく、不快感を与えることを防ぐことができる。また、ユーザの手で第１開口部３２ａ、第２開口部３２ｂが塞がれることが少ないので、空冷のための吸気や排気が妨げられることを防ぐことができる。また、カメラボディ２に装着した外部ユニット４を三脚に取り付けるには、ユーザは、外部ユニット４の下部の三脚座４５に三脚を取り付ける。この時、外部ユニット４の第４開口部４２ｂは側方を向いているので、三脚によって第４開口部４２ｂが埋まることはなく、放熱効果が妨げられない。また、第４開口部４２ｂはグリップ部４２ｃを避けた位置に配置されるので、ユーザがグリップ部４２ｃを把持して縦位置撮影を行う際、通常、第４開口部４２ｂが塞がれることがない。
【００３７】
本実施の形態によれば、カメラボディ２の中空円筒部３に、第１開口部３２ａ、第２開口部３２ｂ及び第３開口部３２ｃを有する空間部Ｓが形成される。そして、第３開口部３２ｃに着脱部材３５が装着された状態と第３開口部３２ｃに外部ユニット４が装着された状態とでは、第２開口部３２ｂと第３開口部３２ｃとの間における流路方向が切り替わる。すなわち、第３開口部３２ｃに着脱部材３５が装着された状態では、第１開口部３２ａを吸気口とし第２開口部３２ｂを排気口とする流路が形成される。第３開口部３２ｃに外部ユニット４が装着された状態では、第１開口部３２ａ及び第２開口部３２ｂを吸気口とし、第３開口部３２ｃを通じて第４開口部４２ｂを排気口とする流路が形成される。これにより、外部ユニット４の装着により放熱効率を可変とすることができる。
【００３８】
また、外部ユニット４の装着時には、熱交換部３４ｂに対応する流路に第２開口部３２ｂから流入する外気が流れるので熱交換効率が高い。しかも、内蔵ファン３１よりも外部ファン４１の方が、送風能力が高いので、外部ユニット４の装着時の放熱効率を高めることができる。また、空間部Ｓは、光軸１０の周りを囲むように形成されるので、光路を妨げることがない。また、第１開口部３２ａ、第２開口部３２ｂは、撮像装置の上部に配置されるので、ユーザによって塞がれにくく、しかもユーザに排気がかかりにくい。
【００３９】
ところで、図６に変形例を示すように、着脱部材３５の内部に蓄熱材３５ａを内蔵してもよい。蓄熱材３５ａを有しても、第３開口部３２ｃに対する着脱部材３５の着脱の態様は同じである。蓄熱材３５ａは着脱部材３５の内部に密閉収納されている。蓄熱材３５ａはパラフィンなどの、相変化時に大きな熱量を必要とする材質で成り、大きな熱量を蓄えることができる。蓄熱材３５ａに、カメラボディ２のＣＰＵチップ２１ａなどの熱が伝わることで、周辺部品の温度上昇の速度が遅くなる。従って、カメラボディ２の外装温度の上昇速度を抑えることができる。
【００４０】
なお、撮像装置の消費電力に応じて、内蔵ファン３１及び外部ファン４１の駆動をカメラ制御部２１と外部制御部４４とが協働して制御してもよい。これにより、放熱の必要性に応じて放熱効率を可変にすることができる。例えば、撮影モードが複数あり、各撮影モードに消費電力に差がある場合は、次のように内蔵ファン３１と外部ファン４１を制御してもよい。その場合、カメラ制御部２１は、各モードでの消費電力を推定してもよい。あるいは、消費電力を測定する測定部を設け、測定部からの測定結果をカメラ制御部２１が取得してもよい。
【００４１】
例えば、外部ユニット４の装着時において、カメラ制御部２１は、消費電力が所定値以上と判定された撮影モードの場合は、内蔵ファン３１、外部ファン４１の双方を駆動する。その際、内蔵ファン３１を最大の第１の回転速度、外部ファン４１を最大の第２の回転速度で駆動してもよい。これにより、外部ユニット４の装着状態で最も効率的な放熱を行うことができる。一方、カメラ制御部２１は、消費電力が所定値未満と判定された撮影モードの場合は、発熱量が少ないので、内蔵ファン３１の駆動を停止すると共に、外部ファン４１を駆動してもよい。その際、カメラ制御部２１は、外部ファン４１を、第２の回転速度よりも遅い第３の回転速度で駆動してもよい。これにより、騒音を抑制することができる。
【００４２】
すなわち、マイク２９（図１（ａ））のように、一般的にマイクは被写体音声の集音効果のためにカメラ上部に配置されることが多い。そこで、カメラ制御部２１は、消費電力が低いと判定された場合は、発熱量が少ないので、外部ファン４１のみを稼働し、内蔵ファン３１を停止する。マイク２９近傍の内蔵ファン３１が停止されることで、マイク２９への内蔵ファン３１の駆動音の混入を防ぐことができる。また、外部ファン４１を第２の回転速度より遅い第３の回転速度で駆動することで、外部ファン４１の駆動音を低減することができる。このように、撮影モード乃至消費電力に応じてファン駆動を行うことで、適切な放熱効果を発揮することができる。
【００４３】
また、内蔵ファン３１と外部ファン４１とを同時に駆動する場合、第１開口部３２ａと第２開口部３２ｂとの間の流路の方が、内蔵ファン３１が稼働される分、第２開口部３２ｂと第３開口部３２ｃとの間の流路よりも流量が多くなる。外気温度や放熱面積などの条件が同じであれば、流量が大きい方が空冷による放熱能力が大きい。従って、熱交換部３４ａの方が熱交換部３４ｂよりも放熱可能な熱量が多くなる。そこで、内殻部３３から熱交換部３４ａへの伝熱経路を、内殻部３３から熱交換部３４ｂへの伝熱経路よりも大きくして、熱交換部３４ａに熱がより伝わりやすくしてもよい。このようにすることで、熱交換部３４ａでの放熱量を大きくすることができる。なお、流路抵抗Ｒａによる圧損が大きくなっても、熱交換部３４ｂに対応する流路と同程度の流量となるように、熱交換部３４ａのフィンの数を増やして放熱能力を上げ、流路抵抗Ｒａを大きくしてもよい。例えば、流路抵抗Ｒａが流路抵抗Ｒｂよりも大きくなるように、熱交換部３４ａのフィン数やフィン構造を設計してもよい。熱交換部３４ａ側のフィン数を増やすことで流路抵抗Ｒａは大きくなるが、もともとの流量が大きいので熱交換部３４ｂ側の流路と同程度の空気を流すことができる。フィン数を増やすことで、熱交換部３４ａの放熱面積を増やすことができ、放熱量を増やすことができるので、より放熱効果を上げることができる。
【００４４】
なお、本実施の形態では、内蔵ファン３１は、第１開口部３２ａから空間部内へ空気を導入し、外部ファン４１は、外部ユニット内の空気を第４開口部４２ｂから排出する構成とした。しかし、各ファンによる流路方向をこれとは逆にしてもよい。その場合、例えば、各ファンに軸流ファン等を採用してもよい。具体的には、内蔵ファン３１は、空間部Ｓ内の空気を第１開口部３２ａから排出し、外部ファン４１は、第４開口部４２ｂから外部ユニット４内へ空気を導入するように配置・構成してもよい。そのようにした場合、第３開口部３２ｃへの着脱部材３５の装着状態では、第２開口部３２ｂを吸気口とし第１開口部３２ａを排気口とする流路が形成される。一方、外部ユニット４の装着状態では、第４開口部４２ｂを吸気口とし、第１開口部３２ａ及び第２開口部３２ｂを排気口とする流路が外部ユニット４から中空円筒部３に亘って形成される。このような構成においても、着脱部材３５の装着時と外部ユニット４の装着時とで、第２開口部３２ｂと第３開口部３２ｃとの間における流路方向が切り替わる。従って、外部ユニット４の装着により放熱効率を可変とすることができる。
【００４５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４６】
２  カメラボディ
４  外部ユニット
１１  撮影光学系
３２  外殻部
３２ａ  第１開口部
３２ｂ  第２開口部
３２ｃ  第３開口部
３３  内殻部
４２ｂ  第４開口部
【図１】
2019117966.tif 000003
【図２】
2019117966.tif 000004
【図３】
2019117966.tif 000005
【図４】
2019117966.tif 000006
【図５】
2019117966.tif 000007
【図６】
2019117966.tif 000008